(57)【要約】  無線システム及び無線通信の方法が記載される。
2009545225.tif 000002
【特許請求の範囲】
【請求項１】
無線通信の方法において、単一の周波数チャネルにおいて複数の符号チャネルを提供するステップと、前記符号チャネルの少なくとも１つにおいて少なくとも１つのコンテンションフリー期間を割り当てるステップと、他の符号チャネルにおいて前記コンテンションフリー期間と同時に開始する少なくとも１つのコンテンション期間を割り当てるステップとを有する方法。
【請求項２】
それぞれの符号チャネルにおいて同時に開始する複数のコンテンション期間を提供するステップを更に有する、請求項１に記載の方法。
【請求項３】
ビーコン期間後に累積送信可を提供するステップを更に有する、請求項２に記載の方法。
【請求項４】
前記提供するステップ及び前記割り当てるステップが、スーパーフレーム内で達成される、請求項１に記載の方法。
【請求項５】
トラフィッククラスによって無線局により送信されるべきデータの量又は送信に対する要求のいずれかをアクセスポイントに信号通知するステップを更に有する、請求項１に記載の方法。
【請求項６】
前記信号通知するステップが、ＲＴＳａｐｐフレームの送信を更に有する、請求項５に記載の方法。
【請求項７】
制御フレームにおいて前記コンテンションフリー期間中に送信されるべきトラフィックを信号通知するステップを更に有する、請求項１に記載の方法。
【請求項８】
前記フレームが、前記符号チャネルの各々におけるコンテンションフリー期間中の来るべき送信に対する情報を含む、請求項７に記載の方法。
【請求項９】
接続を確立する対応する送信器及び受信器のアドレスを提供するステップを更に有する、請求項８に記載の方法。
【請求項１０】
接続識別子を更に有する、請求項８に記載の方法。
【請求項１１】
複数の無線局と、前記無線局に対して無線媒体に対するアクセスを許可するアクセスポイントと、単一の周波数チャネルにおいて複数の符号チャネルを持つスーパーフレームと、前記符号チャネルの少なくとも１つにおける少なくとも１つのコンテンションフリー期間と、他の符号チャネルにおいて前記コンテンションフリー期間と同時に開始する少なくとも１つのコンテンション期間とを有する無線ネットワーク。
【請求項１２】
前記スーパーフレームが、それぞれの符号チャネルにおいて同時に開始する複数のコンテンション期間を更に有する、請求項１１に記載の無線ネットワーク。
【請求項１３】
前記スーパーフレームが、ビーコン期間後に累積送信可を更に有する、請求項１１に記載の無線ネットワーク。
【発明の詳細な説明】
【技術分野】
【０００１】
本発明は、無線システム及び無線通信の方法に関する。
【背景技術】
【０００２】
無線通信帯域幅は、チャネル変調技術の進歩とともに大幅に増大し、無線媒体を有線及び光ファイバソリューションの実行可能な代替物にしている。このように、データ及び音声通信における無線接続性の使用は、増加し続けている。これらの装置は、ほんの数例を挙げると、携帯電話、無線ネットワーク（例えば、無線ローカルエリアネットワーク（ＷＬＡＮＳ））内のポータブルコンピュータ、無線ネットワーク内の固定コンピュータ、ポータブルハンドセットを含む。
【０００３】
各無線ネットワークは、複数の層及び副層を含む。媒体アクセス制御（ＭＡＣ）副層及び物理（ＰＨＹ）層は、これらの層の２つである。前記ＭＡＣ層は、オープンシステムインタコネクション（ＯＳＩ）スタック内のデータリンク層の２つの副層の下側である。前記ＭＡＣ層は、同じ無線媒体に対する同時アクセスを必要とする多くのユーザ間の調整を提供する。
【０００４】
ＭＡＣ層プロトコルは、ネットワーク内のユーザにより供給される放送媒体に対するアクセスを規定する複数の規則を含む。周知のように、複数の異なる多重アクセス技術（しばしばＭＡＣプロトコルと称される）は、前記ＭＡＣ層を規定するプロトコル内で機能するように規定されている。これらは、キャリア分割多重アクセス（ＣＤＭＡ）、キャリアセンス多重アクセス（ＣＳＭＡ）、周波数分割多重アクセス（ＦＤＭＡ）及び時分割多重アクセス（ＴＤＭＡ）を含むが、これらに限定されない。
【０００５】
周知のように、中央集権ＭＡＣプロトコルを持つＷＬＡＮにおいて、及び他の機能の中でも、アクセスポイント（ＡＰ）は、前記ＷＬＡＮにアクセスする他の無線局（ＳＴＡ）によるシステムに対するアクセスの割り当てに対する制御を提供する。前記ＡＰにより前記ＷＬＡＮの制御は、ＳＴＡと前記ＡＰとの間及び前記ＳＴＡ間の通信パケットの衝突を減少させるように機能する。前記媒体に対するアクセスを適切に制御することにより、衝突が回避され、欠損されるパケットを減少させ、前記ＷＬＡＮのスループットを増大させる。
【発明の概要】
【発明が解決しようとする課題】
【０００６】
周知のように、多くのＷＬＡＮは、マルチチャネル（又はマルチキャリア）ＭＡＣ（ＭＣ−ＭＡＣ）を含む。ＭＣ−ＭＡＣは、ＳＴＡによるより大きな媒体アクセスを可能にするが、ＡＰに対する需要は、多くのチャネルに対する制御を提供する必要性により更に増大される。既知のＷＬＡＮにおいて、これは、増大された'オーバヘッド'又はシステム要件に帰着することができ、これは、前記システム複雑さ及び実装のコストの両方に不利に影響を及ぼす。
【課題を解決するための手段】
【０００７】
代表的な実施例によると、無線通信の方法は、単一の周波数チャネルにおいて複数の符号チャネル（ｃｃｈ）を提供するステップと、前記符号チャネルの少なくとも１つにおいて少なくとも１つのコンテンションフリー期間（ＣＦＰ）を割り当てるステップと、他の符号チャネルにおいて前記ＣＦＰと同時に開始する少なくとも１つのコンテンション期間（ＣＰ）を割り当てるステップとを含む。
【０００８】
他の代表的な実施例によると、無線ネットワークは、複数の無線局（ＳＴＡ）と、前記ＳＴＡに対して無線媒体に対するアクセスを許可するアクセスポイント（ＡＰ）と、単一の周波数チャネルにおいて複数の符号チャネル（ｃｃｈ）を持つスーパーフレームと、前記符号チャネルの少なくとも１つにおける少なくとも１つのコンテンションフリー期間（ＣＦＰ）と、他のコードチャネルにおいて前記ＣＦＰと同時に開始する少なくとも１つのコンテンション期間（ＣＰ）とを含む。
【０００９】
本発明は、添付の図面とともに読まれる場合に以下の詳細な記載から最良に理解される。様々なフィーチャが必ずしも正しい縮尺で描かれていないことが強調される。実際に、寸法は、議論の明確性のために任意に増大又は減少されうる。
【図面の簡単な説明】
【００１０】
【図１】代表的な実施例によるＷＬＡＮの単純化された概略図である。
【図２】代表的な実施例によるコンテンション期間（ＣＰ）及びコンテンションフリー期間（ＣＦＰ）を持つスーパーフレーム構造の概念図である。
【図３】代表的な実施例による送信要求アプリケーションフレーム（ＲＴＳａｐｐ）フォーマットの概念図である。
【図４】代表的な実施例による送信可累積（ＣＴＳｃｕｍ）フレームの概念図である。
【図５】一実施例によるタイミング図の概念図である。
【発明を実施するための形態】
【００１１】
以下の詳細な記載において、限定ではなく説明の目的で、特定の詳細を開示する実施例が、前記実施例の徹底的な理解を提供するために記載される。しかしながら、ここに開示される特定の詳細から逸脱した他の実施例は、本開示の利益を得る当業者に明らかである。更に、周知の装置、方法、システム及びプロトコルの説明は、本発明の説明を分かりにくくしないように省略されうる。それでもなお、当業者の視野内にあるこのような装置、方法、システム及びプロトコルは、前記実施例によって使用されることができる。最後に、実際的であればどこでも、同様の参照番号が、同様のフィーチャを示す。
【００１２】
ここに記載される具体的実施例において、ネットワークが、中央集権アーキテクチャを持つ無線ネットワークでありうることに注意する。無線ネットワークは、更新された（より新しい）変調及びフレームフォーマットを持つ無線局（ＳＴＡ）並びにレガシーＳＴＡを含む。実例的に、前記ネットワークは、ＩＥＥＥ８０２．１１規格（レガシー）下で機能し、ＩＥＥＥ８０２．１１ｎ又はその後継のいずれかに準拠するＭＡＣ層を持つ１以上の無線局を含むものであることができる。本開示の見直しから理解されるように、前記具体的実施例のＭＣ−ＭＡＣは、ＣＤＭＡベースシステムである。しかしながら、本教示は、ＩＥＥＥ８０２．１１規格により規定されるＭＡＣ層に限定されず、前記共時の応用は、他のネットワーク／プロトコルにおいて考えられる。これらは、セルラネットワーク、無線ローカルエリアネットワーク（ＷＬＡＮ）、時分割多重アクセス（ＴＤＭＡ）プロトコル、ＣＳＭＡ、衝突回避を持つＣＳＭＡ（ＣＳＭＡ／ＣＡ）及び周波数分割多重アクセス（ＦＤＭＡ）を含むが、これらに限定されない。これらのプロトコルが単に具体例であり、特に述べられたもの以外のプロトコルが前記実施例から逸脱することなく使用されることができると強調される。更に、前記実施例は、更新された変調及びフレームフォーマットの下で機能するＳＴＡ並びにレガシーＳＴＡを含む様々な中央集権ネットワークに適用可能である。
【００１３】
図１は、一実施例による無線ネットワーク１００の概略図である。無線ネットワーク１００は、実例的に複数の上で参照された具体的なプロトコルの１つによって動作するＡＰ（ＨＯＳＴ）１０２内の中央集権ＭＡＣ層を含む。ＡＰ１０２は、選択されたプロトコルによって複数の第１のＳＴＡ（無線装置）１０１にサービスを提供する。実例的に、ネットワーク１００は、ＷＬＡＮ、広域ネットワーク（ＷＡＮ）又は携帯電話ネットワークであり、ＳＴＡ（装置）１０１は、コンピュータ、携帯電話、パーソナルデジタルアシスタント、又は典型的にはこのようなネットワーク内で動作する同様の装置である。２方向矢印により示されるように、装置１０１は、双方で通信することができ、ＡＰ１０２及び装置１０１は、双方で通信することができる。
【００１４】
特定のＭＡＣ層プロトコルによると、前記ＳＴＡの１つの装置から前記ＳＴＡの他の装置への通信は直接的ではなく、むしろこのような通信が、ホスト１０２を通過し、次いでホスト１０２が前記通信を（既知のスケジュール方法を使用して）正しい受け手装置１０１に送信することに注意する。
【００１５】
少数のＳＴＡ１０１のみが示されているが、これは単に議論を簡単にするためであることに更に注意する。明らかに、多くの他の装置１０１が使用されることができる。最後に、装置１０１が必ずしも同じではないことに注意する。実際に、前記選択されたプロトコルの下で機能する大量の異なる装置が、ネットワーク１００内で使用されることができる。
【００１６】
図２は、前記実施例による時系列であり、代表的な実施例によるＷＬＡＮにおける時分割の基本的フィーチャを示す。時系列２００は、図１の具体的実施例と併せて見直される場合に最良に理解される。ビーコン２０１の送信で開始し、持続時間がターゲットビーコン送信時間（ＴＢＴＴ）に等しい図示された間隔は、スーパーフレーム２０１として規定され、中央集権モードの基本的要素からなる。
【００１７】
図２の前記スーパーフレームは、１つの周波数チャネルの帯域幅割り当てを示す。必然的に、ＷＬＡＮ１００のＡＰ１０２及びＭＣ−ＭＡＣにより制御される原則は、複数の周波数チャネルに有用に使用される。具体的実施例の説明を分かりにくくすることを防ぐために、１つのチャネルのみが詳細に論じられる。前記チャネルは、時間及び符号においてサブチャネルに分割され、前記サブチャネルは、図２に示される、符号チャネル（ｃｃｈ）と称される。前記符号チャネルの時分割は、ＣＰ及びＣＦＰを提供する。ＣＰの間、ネットワーク動作は、G. Orfanos, J. Habetha, L Liu, "MC-CDMA based IEEE 802.11 wireless LAN," Proc. IEEE MASCOTS 2004, Oct. 2004に記載されたＣ−ＤＣＦの規則に従い、ＣＦＰの間、ＡＰ１０２は、８０２．１１ａ／ｅにより提供されるように前記ネットワークを制御する。参照されたＩＥＥＥ文献は、明確に参照によりここに組み込まれる。
【００１８】
理解されるように、ＣＰの間、ＳＴＡ１０１は、サブチャネル又は符号チャネル（ｃｃｈ）に本質的に拘束されずにアクセスすることができ、ＣＦＰの間、ｃｃｈアクセスは、ＡＰ１０２により割り当てられる。利用可能なリソースの分割は、ビーコンに含まれる放送情報によって、時間及び符号領域の両方で行われる。特に、一例の割り当てられた帯域が図２に示され、ここでＣＰは、スーパーフレーム持続時間の６０％に対して符号チャネル（ｃｃｈ）３及びｃｃｈ４において動作される。
【００１９】
選択された間隔において、（中央集権）ネットワーク１００のＡＰ１０２は、前記ビーコンを送信する。周知のように、ビーコン２０２間の期間は、しばしばスーパーフレームと称される。前記ビーコンは、ネットワーク１００の範囲内で受信される。一実施例において、ＳＴＡ１０１は、ネットワーク１００内のサービスを要求する。例えば、ＳＴＡ１０１は、８０２．１１プロトコルの下で動作することができる。このようなプロトコルは、しばしば'リッスンビフォアトーク（listen before talk）'プロトコルと称される。このように、ＳＴＡ１０１とＡＰ１０２との間の送信要求（ＲＴＳ）及び送信可（ＣＴＳ）交換は、前記ビーコンの受信後に生じうる。理解されることができるように、このプロセスは、前記装置の１以上がホスト１０１の範囲内にとどまる間に続行する。第１のスーパーフレーム間隔が終了すると、第２のスーパーフレーム間隔の開始を示す他のビーコンが送信される。
【００２０】
ＡＰ１０２は、初期化の直後のビーコン期間２０２の間に前記（第１の）ビーコンを送信し、前記ネットワークに動作特性を信号通知する。ＩＥＥＥ８０２．１１ａビーコンに含まれる情報の他に、ＡＰ１０２は、図２に示されるように各ｃｃｈに対するＣＦＰ２０４の持続時間を提示する。前記ｃｃｈ間のＣＦＰ／ＣＰのこのような異なる割り当ては、前記ネットワークに柔軟性を加える。新しい接続を開始するＳＴＡは、第１の送信に対して前記ＣＰを使用することができ、したがってＣＦＰに対するリソースを許可されるまでの遅延を減少させる。加えて、より低い負荷又はベストエフォートトラフィックを持つＳＴＡは、ＣＰにおいて連続的に動作することができる。ＣＦＰの総持続時間が、ネットワークトラフィックに依存し、スーパーフレームごとにｃｃｈごとに前記ＡＰにより調整されることができることに注意しなくてはならない。
【００２１】
前記ビーコン期間の終了時に、及びガード間隔（図示されない）の終了後に、累積（cumulative）ＣＴＳ（ＣＴＳｃｕｍ）２０３送信が、ＡＰ１０２により行われる。代表的な実施例において、ＣＴＳｃｕｍ２０３送信は、全てのＣＴＳコマンドをネットワーク１００の全てのＳＴＡ１０１に提供する。このために、各ＳＴＡ１０１は、１以上のＲＴＳをＡＰ１０２に送信する。ＣＴＳｃｕｍ２０３は、全てのｃｃｈにおいて送信され、各ｃｃｈにおけるＣＦＰ中の来るべき送信に対する情報を含み、これにより要求するＳＴＡに媒体アクセス許可を提供する。各アクセス許可（ＣＦＰ）は、接続を確立する対応する送信器及び受信器のアドレスを含む。代わりに、前記アクセス許可は、接続識別子を含む。
【００２２】
実例的に、追加のバイトＣＴＳｃｕｍは、オーバヘッドを減少させるために、スーパーフレームの終了まで従来技術のアクセス許可の周期的な繰り返しを信号通知する。このように、各ＳＴＡ１０１は、各ｃｃｈにおいて前記ＣＦＰを知らされている。各ＳＴＡ１０１は、この放送から媒体にアクセスするために割り当てられた時間及びサブチャネルを獲得する。有益には、ＣＴＳｃｕｍ２０３は、ＭＣ−ＭＡＣのオーバヘッドを減少させ、結果としてサービス品質（ＱｏＳ）を向上させる。
【００２３】
ＣＴＳｃｕｍ２０３の終了後に、各ｃｃｈは、それぞれのＣＦＰ２０５内にある。ＣＦＰ２０５は、上で組み込まれた参照されたＩＥＥＥ文献の教示下又はＩＥＥＥ８０２．１１ｘ下の機能を必要とする。この期間の間、ＡＰ１０２は、前記媒体に対するアクセスがビーコン期間２０２又はＣＴＳｃｕｍ２０３の間に許可されているという条件で、前記媒体の制御を維持する。ＡＰ１０２は、各ｃｃｈに対するＣＦＰ２０５の持続時間をも提示する。
【００２４】
ＣＦＰ２０５の終了後に、それぞれのｃｃｈは、スーパーフレーム２０１の期間２０６の下でＣＰ又はＣＦＰの一方に入る。スーパーフレーム２０１のこの部分の間に、前記ｃｃｈの一部は、ＳＴＡ１０１によるＣＦＰアクセスに制限されるが、一部は、ＳＴＡ１０１による前記チャネルに対する拘束されないアクセスを可能にする。期間２０６を終了すると、次のスーパーフレームは、図２に示されるように次のビーコン期間で開始する。
【００２５】
少数の一般的な観測結果は、議論する価値がある。第一に、ＣＦＰ期間２０５及び期間２０６の順序は単に具体例である。特に、これらの期間の時間順序は、図２に示されるものから反転されることができる。更に、ＡＰ１０２は、期間２０５及び２０６の割り当て、並びに特に期間２０６内のそれぞれ制御される（ＣＰ）ｃｃｈ及び拘束されないアクセス（ＣＦＰ）を可能にするｃｃｈの数、識別及びタイミングを放送する。ＡＰ１０２は、以前のスーパーフレーム中にＳＴＡ１０１から受信されたＲＴＳパケットに基づいて必要条件を決定し、要求に応え、他の既知の利益の中でも十分なＱｏＳを提供しようと試みて適宜に前記アクセスを割り当てる。
【００２６】
本開示の利益を得る当業者により理解されるように、期間２０６内の前記ｃｃｈの中でのＣＦＰ／ＣＰの割り当ては、ネットワーク１００にフレキシビリティを加える。例えば、ＳＴＡ１０１とＡＰ１０２との間に及びＳＴＡ１０１間に新しい接続を開始するＳＴＡ１０１は、第１の送信に対して前記ＣＰを使用することができ、したがってＣＦＰに対するリソースを許可されるまでの遅延を減少させる。加えて、より低い負荷又はベストエフォートトラフィックを持つＳＴＡ１０１は、ＣＰにおいて連続的に動作することができる。ＣＦＰの総持続時間がネットワークトラフィックに依存し、スーパーフレームごとにｃｃｈごとにＡＰ１０２により調整されることができることに注意しなくてはならない。
【００２７】
具体的実施例によると、多くの並列ｃｃｈへのチャネル帯域幅分割は、中央集権及び非中央集権モードの動作を並列に可能にし、これは、ネットワーク内の異なるトラフィック特性のサポートに非常に重要である。可変拡散率（ＳＦ）を持つシステムにおいて、１つのｃｃｈは、前記拡散率が容量を規定する場合に、ＣＰ中の送信及び信号通知のために予約されることができる。このようなチャネルは、少なくとも以下の理由で有用である。
１．ＳＴＡ１０１はいつでもＣＦＰに対するアクセス要求を送信するのにこのｃｃｈを使用することができるので、アクセス遅延が減少する。
２．２つの送信期間の分離が、ＩＥＥＥ８０２．１１ａ／ｅの通常の時分割デュプレックス（ＴＤＭ）方法ではなく符号領域において行われるので、予測不可能なビーコン遅延並びに同じチャネル上のＣＰ及びＣＦＰの動作からの衝突が、より容易に回避されることができる。
３．高いサービス品質（ＱｏＳ）要件を持つＳＴＡ１０１（例えば、医療又は緊急アプリケーションにおいて使用されるＳＴＡ）は、送信遅延が保証されることができるＣＦＰの時間を通して送信することができる。
【００２８】
加えて、本教示は、前記ビーコンに含まれる放送情報によって、時間及び符号領域の両方でＣＰ及びＣＦＰの中で利用可能なリソースの分割を更に意図している。符号領域におけるＣＰの位置及び持続時間は、各スーパーフレームにおいて異なりうる。更に、ＲＴＳａｐｐフレームの送信により、前記ＡＰ若しくは前記ネットワークの他の制御エンティティ、又はピア受信器に対して、送信されるべきデータの量を信号通知することである。前記ＲＴＳａｐｐフレームは、トラフィッククラスによって送信されるべきデータの量又は送信に対する要求のいずれかを含む。また、制御フレーム（例えばＣＴＳｃｕｍ）内のＣＦＰ中に送信されるべきダウンリンク、アップリンク、直接リンク、転送トラフィックの信号通知である。このフレームは、各ｃｃｈ内のＣＦＰ中の来るべき送信に対する情報、いわゆるアクセス許可を含む。各媒体アクセス許可は、接続を確立する対応する送信器及び受信器のアドレスを含む。
【００２９】
代わりに、前記アクセス許可は、接続識別子を含む。追加のバイトＣＴＳｃｕｍは、スーパーフレームの終了まで以前に提示されたアクセス許可の周期的な繰り返しを信号通知する。加えて、ウルティモ（ultimo）接続に対して、前記ＡＰは、前記ＣＴＳｃｕｍフレームにおいて制御の領域内のすべてのホップにおける送信をスケジューリングすることができ、マルチホップ接続における媒体アクセス試行の遅延及び数を減少させる。また、ヘッダ圧縮は、接続中に各ＭＡＣエンティティが前記ＡＰによるユニークなＩＤを得る場合に、達成されることができる。前記ＭＡＣエンティティは、この場合、所定のＩＤ及びＡＰ  ＭＡＣアドレスにより区別されることができる。また、上記の方法を使用するハードウェア装置も開示される。
【００３０】
図３は、代表的な実施例による送信要求アプリケーションフレーム（ＲＴＳａｐｐ）フォーマットの概念図である。前記ＳＴＡは、前記ＡＰに前記ＲＴＳａｐｐフレームを送信することによりＣＦＰリソースに送信を要求する。このフレームは、ＣＰ中に送信され、Ｃ−ＤＣＦアクセス規則に従い、トラフィッククラスによって送信されるべきデータの量又は送信に対する要求のいずれかを含む。後者は、送信速度を規定し、このＭＳに対する送信を適切にスケジューリングするように前記ＡＰをガイドする。これの他の詳細は、S. Heier. Leistungsbewertung der UMTS Funkschnittstelle. Dissertation, Aachen University, 2003, ISBN 3-86073-167-9において見つけられることができる。更に、最大許容遅延は、例えば、IEEE 802.11e/D9: "Wireless LAN Medium Access Control (MAC) and physical layer (PHY) specifications: Medium Access Control (MAC) Enhancements for Quality of Service (QoS), Technical Specification, IEEE LAN/MAN Standard Committee. IEEE, August 2004"によって与えられることができる。前記論文及び前記ＩＥＥＥ仕様書の開示は、明確に参照によりここに組み込まれる。
【００３１】
図４は、代表的な実施例による送信可累積（ＣＴＳｃｕｍ）フレームの概念図である。ビーコン送信は、例えば、１スロットのガード間隔の後に、送信可累積（ＣＴＳｃｕｍ）フレームにより後に続かれる。以前に述べたように、及び前記ビーコンと同様に、ＣＴＳｃｕｍは、全てのｃｃｈにおいて送信され、各ｃｃｈ内のＣＦＰ中の来るべき送信に対する情報、いわゆるアクセス許可を含む。各アクセス許可は、接続を確立する対応する送信器及び受信器のアドレスを含む。代わりに、前記アクセス許可は、接続識別子を含む。追加のバイトＣＴＳｃｕｍは、オーバヘッドを減少させるために、スーパーフレームの終了まで以前の提示されたアクセス許可の周期的な繰り返しを信号通知する。
【００３２】
オーバヘッドを更に減少させるために、本教示は、中央集権モードにおけるアドレス圧縮を意図する。このために、ＳＴＡ１０１は、ＡＰ１０２と接続すると、規格の６バイト長アドレスの代わりに識別子として使用されるユニークな１バイト長アドレスを獲得する。１バイトは、サブネットワーク内の２５５のＳＴＡをサポートするのに十分であり、サブネットワーク識別子と一緒に、各ＳＴＡに独特なアドレスを提供する。更に、ＳＴＡ間の明示的な区別に必要とされるＭＡＣ内のアドレスの数は、ソース、目的地及びサブネットワークアドレスからなる、最小で（４から）３バイトに減少されることができる。他の詳細は、ＩＥＥＥ８０２．１１無線ＬＡＮ媒体アクセス制御（ＭＡＣ）及び物理層（ＰＨＹ）仕様書、すなわちWireless LAN Medium Access Control (MAC) and physical layer (PHY) specifications, Technical Specification, IEEE LAN/MAN Standard Committee. IEEE, July 1999及び無線ＬＡＮ媒体アクセス制御（ＭＡＣ）及び物理層（ＰＨＹ）仕様書、すなわちWireless LAN Medium Access Control (MAC) and physical layer (PHY) specifications, Technical Specification, IEEE LAN/MAN Standard Committee. IEEE, July 1999において見つけられることができる。参照されたＩＥＥＥ仕様書の開示は、明確に参照によりここに組み込まれる。
【００３３】
前記アクセス許可によって、ＳＴＡは、所定の順序で前記ｃｃｈにおいて送信を開始する。データパケットの正しい受信は、短フレーム間隔（ＳＩＦＳ）の時間後に送信される承認（ＡＣＫ）フレームで承認される。ＳＩＦＳは、送信器のターンアラウンドタイムにより主に規定されるので、同じＭＳからのデータパケットの連続的な送信を可能にするために、同じ間隔が、前記ＡＣＫを次のデータフレームから分離させる。一例は図５に与えられる。
【００３４】
図５に示されるように、ＣＦＰは、２つのｃｃｈにおいてスーパーフレーム持続時間の４０％後に終了する。ＣＰ動作は、この場合、ｃｃｈ２及びｃｃｈ４において可能にされる。最新のビーコンフレーム内のＴＢＴＴ通知によって、前記ＡＰは、点座標関数フレーム間隔（ＰＩＦＳ）の間隔に対して空いているチャネルを感知した後に、ビーコン送信を開始する。ビーコンとの衝突を防止するために、ＣＦＰに対するリソース許可はＴＢＴＴを考慮し、以前のビーコンを受信したＣＰ内で動作するＳＴＡは、ＴＢＴＴが近づく場合に送信を控えるべきである。
【００３５】
この開示の観点から、ここに記載された様々な方法及び装置が、ハードウェア及びソフトウェアで実装されることができることに注意する。更に、様々な方法及びパラメータが、限定的な意味ではなく、例としてのみ含まれる。この開示の観点から、当業者は、添付の請求項の範囲内にとどまりながら、前記当業者の独自の技術及びこれらの技術を達成するのに必要とされる機器を決定して様々な例の装置及び方法を実施することができる。
【図１】
2009545225.tif 000003
【図２】
2009545225.tif 000004
【図３】
2009545225.tif 000005
【図４】
2009545225.tif 000006
【図５】
2009545225.tif 000007
【国際調査報告】
2009545225.tif 000008
2009545225.tif 000009
2009545225.tif 000010